(57)【特許請求の範囲】
【請求項１】
傾斜した玉通路によりパチンコ玉を整列させて移動させ、その玉通路の途中に設けた玉検出手段によりパチンコ玉を検知して計数するパチンコ玉計数機において、
前記玉通路の適宜位置に玉移動方向に一段落込んだ段差を設け、
この段差の崖部分の内部に、移動可能にレバーを取り付け、
そのレバーの先端側を前記崖部分から前記玉通路側に適宜に突出させるとともに、前記玉移動方向とは逆方向に前記段差を乗り越えて移動しようとするパチンコ玉の動きを受けて前記レバーが変位するように構成し、
このレバーの変位を適宜な検出機構で検出することを特徴とするパチンコ玉計数機の不正検知機構。
【請求項２】
前記レバーに弾性部材を連結し、
その弾性部材が前記レバーに対しその先端側が前記玉通路側に突出する方向に付勢するようにしたことを特徴とする請求項１に記載のパチンコ玉計数機の不正検知機構。
【請求項３】
前記レバーが略Ｌ字状に形成されるとともに、そのＬ字状の折曲部位を中心に正逆回転可能に取り付けられたことを特徴とする請求項１または２に記載のパチンコ玉計数機の不正検知機構。
【請求項４】
前記段差の寸法はパチンコ玉の半径より大きいことを特徴とする請求項１〜３のいずれか１項に記載のパチンコ玉計数機の不正検知機構。
【発明の詳細な説明】
【０００１】
【発明の属する技術分野】
本発明は、傾斜した玉通路によりパチンコ玉を整列させて移動させ、その玉通路の途中に設けた玉センサによりパチンコ玉を検知して計数するパチンコ玉計数機に関し、特に、糸やワイヤーでつないだパチンコ玉を玉センサ部分を往復させて計数値を稼ぐような不正を検知するための機構に関する。
【０００２】
【従来の技術】
一般のパチンコ店では、顧客の利用する玉計数機が店内の要所要所に配設されている。そして、係る一般的なパチンコ玉計数機では、玉挿入口に通路を迷路のように折り返したスイッチバック機構を採用し、内部の玉センサ部分に不正目的の道具を挿入できないようにしている（熊手と呼ぶ道具を挿入して不正に計数させることがあった）。
【０００３】
ところで、最近では、パチンコ台の１台１台に玉計数機を付設する提案がある。顧客がプレーをしながら玉計数機を取り扱い、大当り時の大量の出玉を自動計数させてパチンコ台の内部機構に玉を帰すようにする。より具体的には、複数のパチンコ台を配列して構成される「島」内に戻すように構成する。これにより、パチンコ玉は島内へ還流されるので、直接その島を構成する各パチンコ台へ供給する賞玉等に使用できるようになる。また、計数されたパチンコ玉の玉数は電子情報として管理され、顧客の要望に応じて、パチンコ玉を再び顧客に発給したり、景品交換のための玉預り証（ＩＣカードなど）を発給したりする。
【０００４】
【発明が解決しようとする課題】
パチンコ店内の要所に設置されている少数の玉計数機については、係員の監視の目が及びやすいので、容易には不正は行えず、従って前述のスイッチバック機構程度の不正防止策でもあまり問題はなかった。ところが、パチンコ台の１台１台に玉計数機を付設する場合は、係員の監視の目が充分にとどかないので、不正防止策をより充実させる必要がある。
【０００５】
すなわち、前述の熊手のような道具を挿入する不正に対してはスイッチバック機構が有効なのであるが、スイッチバック機構では防げない不正のやり方もある。位置例を示すと、柔軟で細い糸やワイヤーでパチンコ玉をつないだものを用いる（数珠つなぎにする場合もある）。そして、つないだ玉を計数機に流し込み、その玉をセンサ部分で繰り返し往復させることで不正に計数値を稼ぐ方法がある。
【０００６】
本発明は、上記した背景に鑑みてなされたもので、その目的とするところは、上記した問題を解決し、糸やワイヤーでつないだパチンコ玉を玉センサ部分を往復させて計数値を稼ぐような不正に対し、これを確実に検知できる簡単な構成の不正検知機構を提供することにある。
【０００７】
【課題を解決するための手段】
上記した目的を達成するために、本発明に係るパチンコ玉計数機の不正検知機構では、傾斜した玉通路によりパチンコ玉を整列させて移動させ、その玉通路の途中に設けた玉検出手段によりパチンコ玉を検知して計数するパチンコ玉計数機において、前記玉通路の適宜位置に玉移動方向に一段落込んだ段差を設け、この段差の崖部分の内部に、移動可能にレバーを取り付け、そのレバーの先端側を前記崖部分から前記玉通路側に適宜に突出させるとともに、前記玉移動方向とは逆方向に前記段差を乗り越えて移動しようとするパチンコ玉の動きを受けて前記レバーが変位するように構成し、このレバーの変位を適宜な検出機構で検出するように構成した（請求項１）。
【０００８】
これにより、パチンコ玉が正常に玉通路を流れている時には、レバーの先端側は突出した状態を保持し、玉センサによる計数が行われる。一方、パチンコ玉が逆方向に移動しようとすると、段差を乗り越えなければならず、その段差を乗り越える際に、その段差を構成する壁部分に突出するレバーにパチンコ玉が突き当たる。そして、パチンコ玉がレバーを付勢し、レバーを変位させる。この変位をセンサで検出することにより、不正を検出できる。
【０００９】
前記レバーは、正常状態では壁部分より玉通路側に突出するようにしているが、これは例えば、レバーの自重により下方移動して突出させたり、レバーが回転する場合には重量バランスを崩し（偏心させ）て所定方向に回転させ先端側が突出するように構成するなど各種の方式をとることができる。そして、より確実に突出させるためには、例えば前記レバーに弾性部材を連結し、その弾性部材が前記レバーに対しその先端側が前記玉通路側に突出する方向に付勢するように構成することができる（請求項２）。
【００１０】
ここで弾性部材とは、パチンコ玉が逆方向に移動してきてレバーを付勢した際に、その付勢力を受けて弾性変形してレバーの変位を許容し、係る付勢力がなくなると弾性復元力によりレバーを逆方向に付勢してその先端を突出させるような機能を有していれば各種の構造のものを適用できる。一例を挙げると、実施の形態で示したように、バネを用いることができる。そして、バネの種類としても、実施の形態に限られず板バネの他各種のものを用いることができる。また、バネに限らず、ゴム部材など用いてもよい。さらには、レバーと弾性部材は、別部材で構成する必要もなく、一体的に形成してももちろん良い。
【００１１】
また、弾性部材は、レバーの先端が突出するような付勢力を与えられるようになっていれば良く、例えば、レバーの先端がすでに玉通路に突出している正常状態の時に、更に前方に突出するように付勢力を与えるようにする必要はない。もちろん、付勢力を与えるようにしていても良い。
【００１２】
また、レバーの変位方向としては、直線の往復移動でも良く、或いは正逆回転するようにするなど任意の構成をとることができる。そして、一例を示すと、前記レバーが略Ｌ字状に形成されるとともに、そのＬ字状の折曲部位を中心に正逆回転可能に取り付けるように構成することができる（請求項３）。
【００１３】
また、前記段差の寸法も任意とすることができるが、パチンコ玉の半径より大きくすると、より確実に検出できるので好ましい（請求項４）。
【００１４】
【発明の実施の形態】
本発明の不正検知機構を備えたパチンコ玉計数機の一実施例として、パチンコ台の１台１台に付設する台毎計数機の形態を図１に示している。パチンコ台の下皿の玉排出口の下方にホッパー部１をあてがうように配置し、計数部２はパチンコ台間の内部機構に結合される。ホッパー部１の底面には、帯状に伸びる２本のスリット１ａが形成され、ホッパー部１内に供給されたパチンコ玉は、そのスリット１ａに案内されて２列に並んで計数部２内に送られる。そして、ホッパー部１の出口側には、スリット１ａ間に仕切壁１ｂが起立形成され、確実に２列に分離するようにし、しかも、排出側上方には、ガイド部材１ｃを設け、パチンコ玉が上下に並んで計数部２側へ送られるのを阻止する。
【００１５】
上記したように、ホッパー部１に収容されたパチンコ玉は、傾斜した玉通路に従って徐々に整列させられながら計数部２へと流動する。計数部２の２列分の玉通路３があり、各玉通路３にはそれぞれ完全に１列に整列されてパチンコ玉が移動する。２つの玉通路３にそれぞれ計数用の玉センサ４と本発明の不正検知機構が組み込まれている。
【００１６】
計数部２における玉検知部と不正検知部の詳細を図２と図３に示している。図示するように、玉通路３の適宜位置に玉移動方向に一段落込んだ段差を設けている。上通路３ａが段差の上の傾斜路、下通路３ｂが段差の下の傾斜路であり、両者の間に段差の崖部分５がある。この段差の寸法はパチンコ玉Ｐの半径より少し大きい。この実施例では、玉センサ４は上通路３ａの下面内側に密着して配設している。
【００１７】
玉通路３の崖部分５には小さな窓穴が形成されている。この窓穴の内側にレバー６が取り付けられており、そのレバー６の先端側６ａが崖部分５の窓穴から通路３側へ適宜に突出している。レバー６はＬ字型であり、その曲り部分が水平なピン７により玉通路３のベース部材に正逆回転自在に取り付けられている。このピン７には線細工バネ８が装着されており、このバネ８の弾性力でレバー６には図中反時計方向の回転力が常に付与されている。
【００１８】
図２に示す正常状態では、レバー６はバネ８の力で反時計方向に限度まで回っており、レバー６の先端側６ａの側面下方が下通路３ｂに当っているとともに、レバー６の基端（図中右端）側６ｂの上面が玉センサ４の下面に近接している。この状態において、レバー６の先端側６ａが崖部分５から玉通路３側へ少し突出している。また、基端側６ｂは近接スイッチ１１から離反している。
【００１９】
ここで、上通路３ａから下通路３ｂへとパチンコ玉Ｐが列をなして移動してくる場合、パチンコ玉Ｐは崖部分５を飛び越えるように移動し、レバー６の突出端にはほとんど触らない。また、崖部分５を落下するパチンコ玉Ｐがレバー６（先端側６ａ）に触ったとしても、その接触力はレバー６を反時計方向に回転させようとする力であるため、レバー６はこれ以上回転できないので、変位しない。
【００２０】
糸やワイヤーでつないだパチンコ玉により不正を試みている状態を図３に示している。糸９でつながれた不正玉１０が玉センサ４の部分を通過して下通路３ｂにある。不正者が糸９を引っ張って不正玉１０を玉センサ４の手前へ引き戻そうとしている。この部分にはパチンコ玉Ｐの半径以上の段差があるので、糸９で引っ張られた不正玉１０は崖部分５に右方向に当る。ここにはレバー６の先端側６ａが突出しているので、このレバー６を右側に押すこととなり、レバー６がピン７を中心に時計方向に回転する。
【００２１】
すると、レバー６の基端側ｂが近接スイッチ１１に対向する。すると、近接スイッチ１１がレバー６の基端側６ｂを検出し、検出信号を出力する。この近接スイッチ１１の出力により前記の不正を検知することができる。そして、この検出信号に基づいて、所定の警報出力をしたり、或いは、玉数を減算する等の各種の処理が行える。このように本例では、レバー６が回転変位するのを玉センサ４の下方に設置した近接スイッチ１１により検知する。
【００２２】
ここでは、レバー６の動きを近接スイッチによって検知したが、光電スイッチ等を使ってもよく、また、機械的な機構でレバー６が動いたことを伝達する構成としてもよい。
【００２３】
なお、上記した実施の形態では、台毎計数機に適用した例を示したが、本発明ではこれに限ることはなく、従来から用いられている各種のパチンコ玉計数機に適用することができる。
【００２４】
【発明の効果】
本発明によれば、パチンコ玉計数機に簡単な機構を付加することで、糸やワイヤーでつないだパチンコ玉を玉センサ部分を往復させて計数値を稼ぐような不正を確実に検知できる。したがって、従来の計数機はもちろんのこと、パチンコ台の１台１台に付設する台毎計数機に好適な不正防止策となる。
【図面の簡単な説明】
【図１】本発明の一実施例による不正検知機構を備えたパチンコ玉計数機（台毎計数機）の斜視図である。
【図２】同上実施例の不正検知機構部分の詳細な構成図である。
【図３】同上不正検知機構における不正検知時の動作説明図である。
【符号の説明】
１  ホッパー部
２  計数部
３  玉通路
３ａ  上通路
３ｂ  下通路
４  玉センサ
５  崖部分
６  レバー
６ａ  先端側
７  ピン
８  線細工バネ
９  糸
１０  不正玉
１１  近接スイッチ（レバーの変位を検出するセンサ）
Ｐ  パチンコ玉
【図１】
0003577849.tif 000002
【図２】
0003577849.tif 000003
【図３】
0003577849.tif 000004